(57)【要約】【課題】ポイントカードやスタンプ台帳を別途用意することなく、同程度のキャンペーン効果が期待できる、低コストで、かつ、環境保護的な側面をも兼ね備えた、券付き配送伝票を提供する。【解決手段】券付き配送伝票１０Ａは、請求書・依頼主控１１と、取扱店・ＣＶＳ店控１２と、売上票１３と、貼付票１４と、届け先控１５と、配達票（判取り片）１６と、タックラベル１７Ａとを備えている。この配送伝票１０Ａは、最下部に、基材１７ａと、粘着剤層１７ｂと、剥離紙１７ｃが順次積層されたタック紙１７Ａを有する伝票であって、剥離紙１７ｃの裏面の一部に、所定の印刷が施され、その剥離紙１７ｃを二次利用する券部１８Ａを備えている。券部１８Ａは、「キャンペーン参加チケット」のような申込券になっている。【選択図】図１
2005066927.tif 000002
【特許請求の範囲】
【請求項１】
少なくとも一部に、粘着剤層、剥離シートが積層された配送伝票であって、
前記剥離シートの少なくとも一部に、所定の印刷が施され、その剥離シートを二次利用する券部を備えたこと、
を特徴とする券付き配送伝票。
【請求項２】
少なくとも最下部に、基材、粘着剤層、剥離シートが順次積層された配送伝票であって、
前記基材及び／又は前記剥離シートの一部が分離可能に区画され、前記剥離シートを剥がしたときに、前記基材及び／又は前記剥離シート側に残存し、区画されたラベルとなる区画ラベル部を備え、
前記区画ラベル部は、所定の印刷が施され、前記基材及び／又は前記剥離シートを二次利用する券部であること、
を特徴とする券付き配送伝票。
【請求項３】
請求項１又は請求項２に記載の券付き配送伝票において、
前記券部は、ポイントカード、抽選券、申込券、割引券であること、
を特徴とする券付き配送伝票。
【請求項４】
請求項１から請求項３までのいずれか１項に記載の券付き配送伝票において、
前記券部は、パールインキ、色彩可変インキ、蛍光インキに代表される偽造防止インキを用いた印刷、及び／又は、マイクロ文字や彩紋、コピー牽制絵柄の印刷による偽造防止手段を備えたこと、
を特徴とする券付き配送伝票。
【請求項５】
請求項１から請求項４までのいずれか１項に記載の券付き配送伝票において、
前記券部は、この配送伝票の他の部分に設けられた識別データに対して、少なくとも一部に共通するデータを有すること、
を特徴とする券付き配送伝票。
【請求項６】
請求項５に記載の券付き配送伝票において、
前記券部に設けられた識別データと前記他の部分に設けられた識別データとの間で、両者が同一のデータではなく、所定の演算式によって導かれるようにデータを生成しておき、この所定の演算式を非公開にしておくことによって、その券部の偽造を防止する偽造防止手段を備えたこと、
を特徴とする券付き配送伝票。
【発明の詳細な説明】
【技術分野】
【０００１】
本発明は、宅配便などで使用される配送伝票に関するものである。
【背景技術】
【０００２】
現在の配送伝票は、感圧複写用紙（ノーカーボン紙）や、複写用紙に裏カーボンインキを用いることにより、物理的な複写構造を有し、通常５〜７枚程度の複数枚の紙片からなる『多ｐｔ配送伝票』と、配送先や配送元のデータをデジタル化しておくことで、データを複写して同一平面状又は略同一平面上に、選択的に同一データを複数回印字するようにして、通常１〜３枚程度が貼り合わされた、所謂『１ｐｔ配送伝票』の２種類がある。
【０００３】
図５は、多ｐｔ配送伝票の従来例を示す図である。
この配送伝票１０は、請求書・依頼主控１１と、取扱店・ＣＶＳ店控１２と、売上票１３と、貼付票１４と、届け先控１５と、配達票（判取り片）１６と、タックラベル１７とを備え、１辺がライン糊ａで綴じられている。
請求書・依頼主控１１、取扱店・ＣＶＳ店控１２、売上票１３は、それぞれ、ノーカーボントップ紙、ノーカーボンボトル紙、複写用紙からなり、これらは、必要事項を記入したのちに、順次剥がされ、控え片となる。貼付票１４は、複写用紙（裏面に裏カーボンインキｂが塗布されている。以下の複写用紙も同じ。）であり、荷物の紛失を防止するために最後まで残る荷札となる片である。届け先控１５と配達票１６は、複写用紙であり、配達後に引き抜かれる片である。タック紙１７は、荷物に貼るときに、剥離紙を剥がす片である。貼付票１４とタック紙１７とは、製袋糊ｃで封筒状に貼り合わせており、届け先控１５と配達票１６がミシン目ｄで抜き取り可能に収容されている。
【０００４】
これらの配送伝票は、いずれの形態においても、通常、最終枚目（最下面）に、タック紙１７と呼ばれる、タック基材１７ａと、粘着剤層１７ｂと、剥離紙１７ｃとが順次積層されたラベルが設けられており、粘着剤層１７ｂは、使用するまでは剥離紙１７ｃで保護されている。このタック紙１７の粘着剤層１７ｂによって、簡単に配送伝票を荷物に貼ることが可能になっている。
【０００５】
粘着剤層１７ｂの粘着剤は、本来的にどんな被着体に対しても良好に接着し、特殊な用途を除いて、できる限り剥がれないように設計することが望ましい。このため、この粘着剤の表出面は、荷物に貼る直前までは、何らかの手段で保護しておくことが必要である。
現在では、『ノンセパ』、『ライナーレス』等と呼ばれる、剥離紙がないラベルが提案され、一部販売されるに至ってきた。
しかし、この場合に、粘着剤の接する面に剥離紙と同等の機能（剥離性）を有するように工夫する必要がある。この剥離性は、一般的にシリコーン系剥離成分によって担保されるものであり、筆記適性やＮＩＰやＤＩＰ印字適性がない（サーマル印字適性は実現容易）ため、使い勝手の面からも一般的ではない。
つまり、通常の用途においては、粘着剤を保護する剥離紙は、必須の構成部材となるが、これまでは実質的に廃棄する以外の方法はなかった。
【０００６】
また一方で、宅配会社によるキャンペーン等では、ポイントカードやスタンプ台紙等が使用される場合があり、また、宅配サービスに適したバーコード利用ポイントシステムも提案されている（例えば、特許文献１）。宅配会社は、ほぼ固定したネットワークインフラを持っており、収益は、ある程度荷物の受託個数を超えないと収益が出ない構造がある。
日本では、一般に、お中元やお歳暮と呼ばれるギフト需要があり、この時期に極端なピークを有している。つまり、このピークを１００％内部で処理できるようにする必要はない（外注を利用したり、自家用車を利用したパートタイマーを使用するので）ものの、お中元やお歳暮は、時期を逃すこと事態が大問題となるため、ある程度のインフラが必要となり、逆に閑散期においては、インフラが余ってしまうことになる。
【０００７】
つまり、ポイントカードやスタンプ台帳は、一般に閑散期の需要喚起、掘り起こしという側面が強く、年間を通じて実施しているのは、純然たる民間企業では考えにくい。
従って、現在のように新たにポイントカードやスタンプ台帳を用意しても、閑散期限定的な意味合いを勘案すれば、多大なコスト増になっていると考えられる。
【特許文献１】特開２００２−３６６８２２号公報
【発明の開示】
【発明が解決しようとする課題】
【０００８】
本発明の課題は、ポイントカードやスタンプ台帳を別途用意することなく、同程度のキャンペーン効果が期待できる、低コストで、かつ、環境保護的な側面をも兼ね備えた、券付き配送伝票を提供することである。
【課題を解決するための手段】
【０００９】
前記課題を解決するために、請求項１の発明は、少なくとも一部に、粘着剤層、剥離シートが積層された配送伝票であって、前記剥離シートの少なくとも一部に、所定の印刷が施され、その剥離シートを二次利用する券部を備えたこと、を特徴とする券付き配送伝票である。
【００１０】
請求項２の発明は、少なくとも最下部に、基材、粘着剤層、剥離シートが順次積層された配送伝票であって、前記基材及び／又は前記剥離シートの一部が分離可能に区画され、前記剥離シートを剥がしたときに、前記基材及び／又は前記剥離シート側に残存し、区画されたラベルとなる区画ラベル部を備え、前記区画ラベル部は、所定の印刷が施され、前記基材及び／又は前記剥離シートを二次利用する券部であること、を特徴とする券付き配送伝票である。
【００１１】
請求項３の発明は、請求項１又は請求項２に記載の券付き配送伝票において、前記券部は、ポイントカード、抽選券、申込券、割引券であること、を特徴とする券付き配送伝票。
【００１２】
請求項４の発明は、請求項１から請求項３までのいずれか１項に記載の券付き配送伝票において、前記券部は、パールインキ、色彩可変インキ、蛍光インキに代表される偽造防止インキを用いた印刷、及び／又は、マイクロ文字や彩紋、コピー牽制絵柄の印刷による偽造防止手段を備えたこと、を特徴とする券付き配送伝票である。
【００１３】
請求項５の発明は、請求項１から請求項４までのいずれか１項に記載の券付き配送伝票において、前記券部は、この配送伝票の他の部分に設けられた識別データに対して、少なくとも一部に共通するデータを有すること、を特徴とする券付き配送伝票である。
【００１４】
請求項６の発明は、請求項５に記載の券付き配送伝票において、前記券部に設けられた識別データと前記他の部分に設けられた識別データとの間で、両者が同一のデータではなく、所定の演算式によって導かれるようにデータを生成しておき、この所定の演算式を非公開にしておくことによって、その券部の偽造を防止する偽造防止手段を備えたこと、
を特徴とする券付き配送伝票である。
【発明の効果】
【００１５】
本発明によれば、タック基材や剥離シートに券部を備えているので、ポイントカードやスタンプ台帳を別途用意することなく、同程度のキャンペーン効果が期待でき、しかも、基材や剥離シートを二次利用するので、低コストで、かつ、環境保護を的な側面をも考慮した配送伝票が実現できる。
【発明を実施するための最良の形態】
【００１６】
本発明は、ポイントカードやスタンプ台帳と同程度のキャンペーン効果を得るという目的を、タック紙（タック基材や剥離紙など）を二次利用することによって実現した。
【実施例１】
【００１７】
以下、図面等を参照して、本発明の実施例をあげて、さらに詳しく説明する。
図１は、本発明による券付き配送伝票の実施例１を示す図である。
なお、以下に示す各実施例では、前述した従来例と同様な機能を果たす部分には、同一の符号又は末尾に統一した符号を付して、重複する説明や図面を適宜省略する。
実施例１の券付き配送伝票１０Ａは、請求書・依頼主控１１と、取扱店・ＣＶＳ店控１２と、売上票１３と、貼付票１４と、届け先控１５と、配達票（判取り片）１６と、タックラベル１７Ａとを備えている。
つまり、配送伝票１０Ａは、最下部に、タック基材１７ａと、粘着剤層１７ｂと、剥離紙１７ｃが順次積層されたタック紙１７Ａを有する伝票であって、剥離紙１７ｃの裏面の一部に、所定の印刷が施され、その剥離紙１７ｃを二次利用する券部１８Ａを備えている。
【００１８】
実施例１では、券部１８Ａは、「キャンペーン参加チケット」のような申込券になっている。この券部１８Ａは、申込券の他に、図２の変形例で示したように、「￥１００−ＯＦＦチケット」のような割引券（券部１８Ａ−２）であってもよいし、図示はしないが、ポイントカード、抽選券などでもよい。
【００１９】
券部１８Ａは、パールインキ、色彩可変インキ、蛍光インキに代表される偽造防止インキを用いた印刷や、マイクロ文字や彩紋、コピー牽制絵柄の印刷による偽造防止手段を施すことが望ましい。
【００２０】
また、この券部１８は、この配送伝票１０Ａの他の部分に設けられたバーコードなどの識別データに対して、少なくとも一部に共通するデータを有するが好ましい。
そして、券部１８に設けられた識別データと前記他の部分に設けられた識別データとの間で、両者が同一のデータではなく、所定の演算式によって導かれるようにデータを生成しておき、この所定の演算式を非公開にしておくことによって、その券部の偽造を防止することができる（偽造防止手段）。
この演算は、チェックデジット（９チェックや１１チェック）に類する方法で算出した数値を掛けたり足したりすることで、演算したものを合否判定に使えばよく、簡単な合否判定ができればよいので、チェックデジットのように厳密なものである必要はなく、例えば、桁数に応じて固定の数値を足したものでよく、違う数値を演算した結果、同じ数値が出てきてもよい。具体的には、「Ｎｏ．４１１１７８９」に、７桁なので、『１２３４５６７』を足して算出し、「Ｎｏ．５３４６３５６」で判定すればよい。
【００２１】
このように、実施例１によれば、剥離紙１７ｃの裏面に申込券などの券部１８Ａを備えているので、ポイントカードやスタンプ台帳を別途用意することなく、同程度のキャンペーン効果が期待でき、しかも、剥離紙１７ｃを二次利用するので、低コストで、かつ、環境保護を的な側面をも考慮した配送伝票が実現できる。
【実施例２】
【００２２】
図３は、本発明による券付き配送伝票の実施例２を示す図である。
実施例２の配送伝票１０Ｂは、実施例１と同様に、最下部に、タック基材１７ａと、粘着剤層１７ｂ、剥離紙１７ｃが順次積層されたタック紙１７Ｂを有する伝票であって、タック基材１７ａの一部がハーフカットｅで分離可能に区画され、剥離紙１７ｃを剥がしたときに、剥離紙１７ｃ側に残存し、区画されたラベルとなる区画ラベル部１７Ｂ−１を備えている。
この区画ラベル部１７Ｂ−１は、クーポン券などの所定の印刷が施され、タック基材１７ａを二次利用するシール状の券部１９になっている。
なお、券部１９は、裏側の剥離紙１７ｃに、遮光性インキ等でクーポン券のディスカウント額面が外側に透過しないように工夫し、このラベル自体を抽選券として、アタリ・ハズレを設けても良い。
【００２３】
このように、実施例２によれば、剥離紙１７ｃを剥がすと、シール状のクーポン券となる券部１９が残るようになっている。
【実施例３】
【００２４】
図４は、本発明による券付き配送伝票の実施例３を示す図である。
実施例３の配送伝票２０は、配達票（判取片）２１ａ及び貼付票２１ｂを備えた基材２１と、タック紙２７とが、擬似接着構造２２を介して貼り合わされた１ｐｔ配送伝票に適用したものである。タック紙２７は、タック基材２７ａと、粘着剤層２７ｂ、剥離紙２７ｃが順次積層されている。
【００２５】
実施例３では、タック基材２７ａの一部がハーフカットｅで分離可能に区画され、剥離紙２７ｃを剥がしたときに、剥離紙２７ｃ側に残存し、区画されたラベルとなる第１の区画ラベル部２７−１と、タック基材２７ａ及び剥離紙２７ｃの一部がハーフカットｆで分離可能に区画され、剥離紙２７ｃを剥がしたときに、タック基材２７ａ側に残存し、区画されたラベルとなる第２の区画ラベル部２７−２を備えている。
この区画ラベル部２７−１，２７−２は、クジなどの所定の印刷が施され、タック基材２７ａを二次利用するシール状の券部２８，２９になっている。
【００２６】
券部２８は、荷物を発送する人へのくじであり、図４（Ｃ）に示すように、剥離紙２７ｃを剥がしたときに、剥離紙２７ｃ側に残る。なお、券部２８も、裏側の剥離紙２７ｃに、遮光層等でクジ面が外側に透過しないようにし、アタリ・ハズレを表示することが好ましい。
券部２９は、荷物を届けられた人へのくじであり、図４（Ｄ）に示すように、剥離紙２７ｃを剥がしたときに、タック基材２７ａ、つまり、荷物に貼付された伝票２０側に残り、配達票２１ａを剥離したときに、表出する。
【００２７】
実施例３によれば、荷物を発送する人にも、荷物を届けられた人にも、くじが設けられる。
【００２８】
（変形例）
以上説明した実施例に限定されることなく、種々の変形や変更が可能であって、それらも本発明の均等の範囲内である。
（１）実施例３の形態は、実施例１、２にも適用することができる。
【図面の簡単な説明】
【００２９】
【図１】本発明による券付き配送伝票の実施例１を示す図である。
【図２】本実施例１による券付き配送伝票の変形例を示す図である。
【図３】本発明による券付き配送伝票の実施例２を示す図である。
【図４】本発明による券付き配送伝票の実施例３を示す図である。
【図５】本発明による券付き配送伝票の従来例を示す図である。
【符号の説明】
【００３０】
１０Ａ，１０Ｂ  配送伝票
１１  請求書・依頼主控
１２  取扱店・ＣＶＳ店控
１３  売上票
１４  貼付票
１５  届け先控
１６  配達票（判取り片）
１７Ａ，１７Ｂ  タックラベル
１７ａ  タック基材
１７ｂ  粘着剤層
１７ｃ  剥離紙
２０  配送伝票
２１ａ  配達票（判取片）
２１ｂ  貼付票
２１  基材
２７  タック紙
２２  擬似接着構造
【図１】
2005066927.tif 000003
【図２】
2005066927.tif 000004
【図３】
2005066927.tif 000005
【図４】
2005066927.tif 000006
【図５】
2005066927.tif 000007